(57)【要約】      （修正有）【課題】内断熱（充填断熱）と外断熱（外張り断熱）を併用することによって断熱性を高めた住宅の二重断熱構造を提供する。【解決手段】住宅の二重断熱構造は、躯体の外側に、発泡プラスチック系断熱材であるフェノールフォーム１を貼る外貼り断熱工法と、躯体の内側に、発泡プラスチック系断熱材であるウレタンフォーム２を現場で発泡吹付けをする内側充填断熱工法と、を併用したうえで、発泡プラスチック系断熱材であるフェノールフォーム１と、発泡プラスチック系断熱材であるウレタンフォーム２との間に、耐力壁面材を介在させる。【選択図】図１
0003235259.tif 000002
【実用新案登録請求の範囲】
【請求項１】
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている
ことを特徴とする住宅の二重断熱構造。
【請求項２】
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている住宅の二重断熱構造であって、
発泡プラスチック系断熱材であるフェノールフォームと、
発泡プラスチック系断熱材であるウレタンフォームとの間に、
耐力壁面材が介在されている
ことを特徴とする住宅の二重断熱構造。
【請求項３】
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている住宅の二重断熱構造であって、
発泡プラスチック系断熱材であるフェノールフォームと、
発泡プラスチック系断熱材であるウレタンフォームとの間に、
耐力壁面材が介在されており、
前記内側充填断熱工法は、
躯体の内側に吹き付けるウレタンフォームが野地板の内側にも吹き付けられ、
耐力壁面材の内側に吹き付けられたウレタンフォームは野地板の内側に吹き付けられたウレタンフォームと繋がっている
ことを特徴とする住宅の二重断熱構造。
【考案の詳細な説明】
【技術分野】
【０００１】
本考案は、内断熱（充填断熱）と外断熱（外張り断熱）を併用することによって断熱性を高めた住宅構造に関する。
【背景技術】
【０００２】
従来から、木造住宅の断熱方法として、内断熱工法と外断熱工法が知られている。
内断熱工法は、構造躯体の柱や壁等の間に断熱材を施す工法であり、外断熱工法は、構造躯体の外側に断熱材を施す工法である。
【０００３】
断熱材には、主に、繊維系断熱材と発泡プラスチック系断熱材が使用され、繊維系断熱材は、ロックウール、グラスウール、セルロースファイバーなどが使用される。
また、発泡プラスチック系断熱材は、ポリスチレンフォームやウレタンフォーム、ポリエチレンフォーム、フェノールフォームなどが使用される。
これらの断熱材は、内断熱工法と外断熱工法のそれぞれの目的や弱点を補うように使い分けられる。
【０００４】
例えば、内断熱工法は、内部に断熱層があるために、断熱層内の体積が小さく暖まり易く、冷え易いが、繊維系断熱材を使用すると、熱容量が小さいため外気の影響を受け易く、また、気密性が低く湿気を通しやすいため、外気との温度差が大きい場合には内部結露を起こしやすい。
また、外断熱工法は、発泡プラスチック系断熱材を使用すると、気密性が高く湿気を通しにくいために外気との温度差が大きくても内部結露を起こし難いが、気密性が高いことから換気性が悪く、基礎まで連続的に張る場合には、室内が防腐・防蟻剤の影響を受け易い。
【０００５】
そして、内断熱工法と外断熱工法を併用する方法として、特許文献１には、断熱材間に空気層を設け、外気と内気の温度差を和らげ、換気することによって内部結露を予防することができ、気密性が高くなることによって起こりうる空気汚染を全熱交換型の換気システムによって解消することができる住宅構造が開示されている。
【０００６】
具体的には、躯体の外側に、発泡ウレタン等の断熱材を取付けて外断熱とするほか、外壁材、屋根材を仕上げる場合は、下地に胴縁等を施工し、基礎部から棟部へ抜ける一体の通気層を設けたうえで、躯体の内側に、部屋を包み込むようにロックウール、ガラスウール等の繊維状断熱材を取付け内断熱とし、外断熱材と内断熱材の間に空間が出来るように施工し、外気と内気の間に空気層ができるように施工されるもので、断熱性能が高い住宅を実現できる。
そして、空気層と換気システムが設けられていることにより、デメリットである内部結露を防止し、年間を通じて室内を人体に適した環境にできる。
【先行技術文献】
【特許文献】
【０００７】
【特許文献１】特開2005-083142公報
【考案の概要】
【考案が解決しようとする課題】
【０００８】
しかしながら、特許文献１記載の発明は、躯体の内側に、繊維系断熱材を使用しているため、外気との温度差が大きい場合には内部結露を起こしやすく、外断熱材と内断熱材の間に空間ができるように施工して外気と内気の間に空気層を作っても、換気システムを必要とするため、施工コストや施工の手間が増えてしまうという問題がある。
【０００９】
そこで、本考案は、上記の問題を解決するため、繊維系断熱材を使用せず、発泡プラスチック系断熱材のみを使用して、充填断熱による内断熱工法と外張り断熱による外断熱工法を併用することで断熱性を高めた住宅構造を提供する。
【課題を解決するための手段】
【００１０】
本考案は、従来技術における上記問題点を解決するために、以下の技術的な解決策を講じている。
【００１１】
本考案にかかる住宅の二重断熱構造は、
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている
ことを特徴とする。
【００１２】
本考案にかかる住宅の二重断熱構造は、
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている住宅の二重断熱構造であって、
発泡プラスチック系断熱材であるフェノールフォームと、
発泡プラスチック系断熱材であるウレタンフォームとの間に、
耐力壁面材が介在されている
ことを特徴とする。
【００１３】
耐力壁面材を介さずに、発泡プラスチック系断熱材であるフェノールフォームの裏側から直接発泡ウレタンフォームを吹き付けて内側から充填断熱を施工すると、吹き付けられたウレタンフォームの圧力によって発泡プラスチック系断熱材であるフェノールフォームが住宅の外側に向かって膨らむ可能性がある。 
そこで、本考案では、耐力壁面材によって、ウレタンフォームの圧力によって膨らむことを防いでいる。
【００１４】
本考案にかかる住宅の二重断熱構造は、
躯体の外側に、発泡プラスチック系断熱材であるフェノールフォームを貼る外貼り断熱工法と、
躯体の内側に、発泡プラスチック系断熱材であるウレタンフォームを現場で発泡吹付けをする内側充填断熱工法と、
が併用されている住宅の二重断熱構造であって、
発泡プラスチック系断熱材であるフェノールフォームと、
発泡プラスチック系断熱材であるウレタンフォームとの間に、
耐力壁面材が介在されており、
前記内側充填断熱工法は、
躯体の内側に吹き付けるウレタンフォームが野地板の内側にも吹き付けられ、
耐力壁面材の内側に吹き付けられたウレタンフォームは野地板の内側に吹き付けられたウレタンフォームと繋がっている
ことを特徴とする。
【００１５】
躯体の内側に、発泡プラスチック系断熱材であるウレタンフォームを現場で発泡吹付けをする内側充填断熱工法は、躯体の内側に吹き付けるウレタンフォームを、野地板の内側にも吹き付けられる。
これにより、耐力壁面材の内側に吹き付けたウレタンフォームが野地板の内側に吹き付けたウレタンフォームと繋がり、耐力壁面材に吹き付けられたウレタンフォームは、窓以外の全ての躯体の内側に吹き付けられることになり、高い断熱性能を有する住宅構造を実現できる。
【考案の効果】
【００１６】
本考案によれば、施工コストを低く抑えながら、短い施工期間で、高い断熱性能を有する住宅構造を施工でき、また、外気との温度差が大きくても内部結露を起こしにくく、全熱交換型の換気システムも不要な二重断熱構造による住宅を提供できる。
【図面の簡単な説明】
【００１７】
【図１】二重断熱構造による住宅の壁面部分の断面図
【考案を実施するための形態】
【００１８】
以下、図面をもとに、本考案の具体的な実施方法をさらに詳しく説明する。
なお、以下の実施例は、本考案を説明するために使用されるが、本考案の範囲を限定するものではない。
【００１９】
基礎工事を完了させたのち、住宅構造の躯体を上棟する。
住宅構造の躯体に、耐力壁面材を貼り付ける。
【００２０】
次に、外貼り断熱工法による施工を説明する。
躯体の外側から、耐力壁面材に、外貼り断熱工法による断熱材としてフェノールフォームを貼り付ける。
フェノールフォームの繋ぎ目に、フェノールフォーム同士の隙間をなくすため、目地テープを貼り付ける。
フェノールフォームの外側から、建物内部への浸水を防ぐための透湿防水シートを貼り付ける。
さらに、外壁を貼り付けるための下地材及び縦胴縁を取り付ける。
最後に、外壁材を貼り付け、外壁を塗装する。
【００２１】
次に、内側充填断熱工法による施工を説明する。
躯体の内側から、耐力壁面材に、ウレタンフォームの発泡吹き付けを行う。
ウレタンフォームは、野地板の内側にも発泡吹き付けを行う。
野地板の内側に吹き付けたウレタンフォームは、耐力壁面材の内側に吹き付けたウレタンフォームと連続するように吹き付ける。
これにより、ウレタンフォームが窓以外の全ての躯体の内側に吹き付けられることになり、高い断熱性能を有する住宅構造を実現できる。
野地板以外の耐力壁面材には、ウレタン発泡フォームの上から、内壁材石膏ボードを貼り付ける。
最後に、壁材や化粧材を貼り付ける。
【００２２】
以上の施工方法により、施工コストを低く抑えながら、短い施工期間で、高い断熱性能を有する住宅構造を施工でき、また、外気との温度差が大きくても内部結露を起こしにくく、換気システムも不要な二重断熱構造による住宅を提供できる。
【符号の説明】
【００２３】
１  フェノールフォーム
２  ウレタンフォーム
【図１】
0003235259.tif 000003